(57)【要約】【課題】ケーソン内桝内への足場の設置作業、撤去作業を安全にかつ短時間で行うことができ、しかも足場材の使用数量を大幅に削減できるケーソンの移動式足場工法を提供する。【解決手段】作業者９の昇降足場２と作業用ステージ１とからなる足場ユニットＵを、ケーソン躯体１０の頂部に固定された支持梁５からケーソン内桝内に垂下される懸吊ワイヤー３に多段に設けられたアイスプライス（玉掛索）３ａを介して懸吊支持し、昇降足場２と作業用ステージ１とを交互に他段のアイスプライス（玉掛索）３ａに吊り替えることによって、前記足場ユニットＵを上下方向に移設する。【選択図】  図１
2006316543.tif 000002
【特許請求の範囲】
【請求項１】
作業者の昇降手段が設けられた支持ブラケットと作業用ステージとからなる足場ユニットを、ケーソン躯体の頂部に固定された支持梁からケーソン内桝内に垂下されるワイヤーに多段に設けられたアイスプライス（玉掛索）を介して懸吊支持し、前記支持ブラケットと作業用ステージとを交互に他段のアイスプライス（玉掛索）に吊り替えることによって、前記足場ユニットを上下方向に移設して行くことを特徴とするケーソンの移動式足場工法。
【請求項２】
支持ブラケット及び作業用ステージが縦横伸縮自在に設けられていることを特徴とする請求項１記載のケーソンの移動式足場工法。
【発明の詳細な説明】
【技術分野】
【０００１】
本発明は、港湾工事、例えば岸壁・防波堤の施工に使用されるケーソン（鉄筋コンクリート製の潜函）を構築する際にケーソン内桝内に吊り下げ支持して使用される移動式の足場工法に関するものである。
【背景技術】
【０００２】
港湾工事で使用されるケーソンは、縦５〜３０ｍ・横７〜３０ｍ・高さ７〜３０ｍ位で、その内部高さ方向に複数の空洞（内桝）を形成した大規模な鉄筋コンクリート製の構造体である。その製作工事は内型枠と外型枠との内部に鉄筋を配してコンクリートを打設する所謂型枠工法により、一定高さの型枠装置を反復使用して１単位のセグメント（分節）を順次上方へ多数段積み上げ所望の高さに構築して行く方法により行われる。
【０００３】
ケーソンの施工に当たっては、ケーソン躯体の構築、すなわち鉄筋工事や型枠工事等の作業を進めるため、ケーソン側壁の外周部や内桝内部に足場を設置する。一般に、ケーソン側壁の外周部の足場は、ケーソンの構築に伴って増設や移設することはないが、ケーソン内桝内部の足場はケーソンのスラブ上に枠組み足場等を１段ずつ組み立てて行き、ケーソンの構築毎に足場を増設して行く。
【０００４】
したがって、従来工法では、１単位のコンクリートセグメントの打設を完了した都度、足場を増設する必要があり、内桝内の清掃、補修、Ｐコン処理、資材の撤去作業等もその都度行っているため、作業者数や工程数が多くなり、かなりの労力や製作時数を要するものであった。そこで、足場を増設することなくケーソンを構築するために、底面部が桁状または床状で、側面部が格子状をした籠状の骨組み構造物の内部に枠組み足場等を組み立てて一体化した吊り足場を予め製作する一方、ケーソン躯体下部の側壁部に予め吊り足場支持用のアンカを埋設しておき、前記吊り足場を吊り下げ部材を介して吊り下げ支持し、ケーソン躯体の構築毎、すなわち１単位のセグメントの構築毎にアンカを新設して行き、新設されたアンカに吊り下げ部材を順次盛り替えることによって吊り足場を上方に移設する技術が提案されている（特許文献１参照。）。
【０００５】
【特許文献１】特開平７−１５０５７０号公報
【発明の開示】
【発明が解決しようとする課題】
【０００６】
しかしながら、上記文献所載の従来技術では、打設を完了した後の内桝内の清掃、補修、Ｐコン処理、資材の撤去などは実際上不可能である。また、労働安全規則上、クレーンで吊った状態での足場作業は禁止されている。
【０００７】
本発明は、上記の実情に鑑みなされたもので、ケーソン内桝内への足場の設置作業、撤去作業を安全にかつ短時間で行うことができ、しかも足場材の使用数量を大幅に削減できるケーソンの移動式足場工法を提供することを目的とするものである。
【課題を解決するための手段】
【０００８】
このため本発明のケーソンの移動式足場工法は、作業者の昇降手段が設けられた支持ブラケットと作業用ステージとからなる足場ユニットを、ケーソン躯体の頂部に固定された支持梁からケーソン内桝内に垂下されるワイヤーに多段に設けられたアイスプライス（玉掛索）を介して懸吊支持し、前記支持ブラケットと作業用ステージとを交互に他段のアイスプライス（玉掛索）に吊り替えることによって、前記足場ユニットを上下方向に移設して行くことを第１の特徴とし、支持ブラケット及び作業用ステージが縦横伸縮自在に設けられていることを第２の特徴とする。
【発明の効果】
【０００９】
本発明によれば次のような優れた効果がある。
（１）ケーソン内桝内での足場の上下移動が可能になり、内桝内の清掃、補修、Ｐコン処理、資材の撤去作業を容易且つ安全に行うことができる。
（２）ケーソン内桝内への足場の設置作業を短時間で行うことができ、足場材の使用数量を大幅に削減することができる。
（３）作業用ステージ及び支持ブラケットが縦横伸縮自在に設けられているので、既に構築されたケーソン内桝の大きさにも自由に対応できる。
【発明を実施するための最良の形態】
【００１０】
以下、本発明の実施の形態を図面に示す実施例に基づいて説明する。図１はケーソン内桝に足場ユニットを設置した状態を示す一部断面側面図、図２はケーソン内桝に足場ユニットを設置した状態を示す平面図、図３及び図４は足場ユニットを順次下方に移設して行く過程を示す一部断面側面図である。
【実施例】
【００１１】
本実施例では、ケーソン構築後の内桝内の清掃、補修、Ｐコン処理、資材の撤去などを行うに当たって足場ユニットＵを使用する。この足場ユニットＵは、図１乃至図２に示すように、概略、平面中央に矩形の開口１ａを空けて鋼材を縦横伸縮自在に井桁状に組立て、周囲に手すり１ｂを設けた作業用ステージ１と、この開口１ａに上下に挿通可能な昇降足場２とから構成されている。ここで、Ｐコン処理とは、ケーソンの各セグメント１０ａ、１０ｂ及び１０ｃの打設の際にコンクリート壁内に埋設されるセパレーター７の端部に螺合されたＰコン６と呼ばれる略円錐形碗状のプラスチック製の治具によりコンクリート壁打設後に壁表面に残るＰコン６のネジ穴をコンクリートで埋め戻す処理のことである。
【００１２】
昇降足場２には、作業者が昇り降りするための階段２ａが設けられると共に、その下端には振れ止め用の支持ブラケット４が連結されている。この支持ブラケット４も縦横伸縮自在に鋼管を井桁状に組み合わせて構成される。
【００１３】
ケーソン躯体１０の頂部に固定された支持梁５には４本の懸吊ワイヤー３が垂下されると共に、懸吊ワイヤー３の所定位置には多段にアイプライス（玉掛索）３ａが設けられ、吊りフック（図示せず）を介して、作業用ステージ１並びに昇降足場２が各々懸吊できるようにされている。
【００１４】
次に、図１、図３及び図４に基づいて、足場ユニットＵの移動方法について説明する。以下、足場ユニットＵの下降方法についてのみ説明するが、逆の手順により上昇できることは言うまでもない。まず、図１に示すように、セグメント１０ｃ内での作業を終えた後、作業者９は昇降足場２に退避して、作業用ステージ１にクレーン等の荷役装置からの吊りワイヤ８を連結する。次いで、作業用ステージ１と懸吊ワイヤー３との連結を解除する。同時に昇降足場２の上部と懸吊ワイヤー３との連結を解除する。すなわち、現在係止されているアイプライス３ａから作業用ステージ１に連結されたフック（図示せず）と、昇降足場２の上部に連結されたフック（図示せず）を外す。この状態で作業用ステージ１を昇降足場２の下端あるいは所望する高さまでクレーンにより下降させる。次いで、作業者９は昇降足場２の階段２ａを利用して下方に下りて行き、所望する位置に対応するアイプライス３ａに作業用ステージ１を連結する。すなわち、本実施例の場合、当初セグメント１０ｃ内に位置した作業用ステージ１をセグメント１０ｂ内まで下降させ懸吊ワイヤー３に再度懸吊する。
【００１５】
次いで、作業者９は作業用ステージ１に連結されたクレーン等の荷役装置からの吊りワイヤ８を外し、昇降足場２の階段２ａを登って、この吊りワイヤ８を昇降足場２の上部に連結する。続いて作業者９は再び作業用ステージ１まで降りて、昇降足場２の下部と懸吊ワイヤー３との連結を解除する。この状態で昇降足場２をクレーンにより下降させ、所望する位置に対応するアイプライス３ａに連結する。すなわち、本実施例の場合、当初セグメント１０ｃと１０ｂとの中間に位置した昇降足場２をセグメント１０ｂとセグメント１０ａとの中間位置まで下降させ懸吊ワイヤー３に再度懸吊する。以上の手順を繰り返して行い、足場ユニットＵをさらに下降することができる。
【００１６】
尚、本発明の要旨は、作業者９の昇降足場２と作業用ステージ１とからなる足場ユニットＵを、ケーソン躯体１０の頂部に固定された支持梁５からケーソン内桝内に垂下されるワイヤー３に多段に設けられたアイスプライス（玉掛索）３ａを介して懸吊支持し、昇降足場２と作業用ステージ１とを交互に他段のアイスプライス（玉掛索）３ａに吊り替えることによって、前記足場ユニットＵを上下方向に移設する点にあり、上記実施例に限定されるものでないことは言うまでもない。
【図面の簡単な説明】
【００１７】
【図１】ケーソン内桝に足場ユニットを設置した状態を示す一部断面側面図である。
【図２】ケーソン内桝に足場ユニットを設置した状態を示す平面図である。
【図３】足場ユニットを順次下方に移設して行く過程を示す一部断面側面図である。
【図４】足場ユニットを順次下方に移設して行く過程を示す一部断面側面図である。
【符号の説明】
【００１８】
１      作業用ステージ
１ａ    開口
１ｂ    手すり
２      昇降足場
２ａ    階段
３      懸吊ワイヤー
３ａ    アイスプライス（玉掛索）
４      支持ブラケット
５      支持梁
６      Ｐコン
７      セパレーター
８      クレーンの吊りワイヤー
９      作業者
１０    ケーソン躯体
１０ａ  ケーソンのセグメント
１０ｂ  ケーソンのセグメント
１０ｃ  ケーソンのセグメント
Ｕ      足場ユニット
【図１】
2006316543.tif 000003
【図２】
2006316543.tif 000004
【図３】
2006316543.tif 000005
【図４】
2006316543.tif 000006